(57)【特許請求の範囲】
【請求項１】
空気調和機において、圧縮機（３３，４３）から送り出された冷媒を凝縮する凝縮器（３５）に対して水噴霧冷却する補助冷却装置の運転方法であって、
前記圧縮機の運転開始から初期の所定期間だけ、前記水噴霧を休止する休止運転と、
前記休止運転に引き続いて行われ、水噴霧を行う水噴霧期間と水噴霧を休止する水噴霧休止期間とから構成される所定の周期に対する前記水噴霧期間の所定の比率をもって間欠的に水を噴霧するマイルドな水噴霧運転と、
前記マイルドな水噴霧運転に引き続いて行われ、前記マイルドな水噴霧運転における前記水噴霧期間の前記所定の比率よりも高い水噴霧期間の比率をもって間欠的に水を噴霧する定常運転と
を備えた、補助冷却装置の運転方法。
【請求項２】
空気調和機において、圧縮機（３３，４３）から送り出された冷媒を凝縮する凝縮器（３５）に対して水噴霧冷却する補助冷却装置の運転方法であって、
前記水噴霧の制御をする水噴霧制御手段（２，ＳＶ）への通電開始の後、所定時間水噴霧を休止する休止運転を行い、
前記休止運転の経過後に、水噴霧を行う水噴霧期間と水噴霧を休止する水噴霧休止期間とから構成される所定の周期に対する前記水噴霧期間の所定の比率をもって間欠的に水を噴霧するマイルドな水噴霧運転を開始し、
前記マイルドな水噴霧運転の後に、前記マイルドな水噴霧運転における前記水噴霧期間の前記所定の比率よりも高い水噴霧期間の比率をもって間欠的に水を噴霧する定常運転を行う、補助冷却装置の運転方法。
【請求項３】
前記水噴霧制御手段への通電は前記圧縮機の稼動開始に合せて行われ、前記マイルドな水噴霧運転の開始は、外気温が所定温度以上になった後、所定時間経過した後に行われる、請求項２に記載の補助冷却装置の運転方法。
【請求項４】
空気調和機において、圧縮機（３３，４３）から送り出された冷媒を凝縮する凝縮器（３５）に対して水噴霧冷却する補助冷却装置であって、
前記凝縮器に水噴霧する水噴霧手段（３，４，１０）と、
前記水噴霧手段における水噴霧を制御する水噴霧制御手段（２，ＳＶ）と、
前記水噴霧制御手段への通電後、所定時間経過したことを検知する時間経過検知手段（２）とを備え、
前記水噴霧制御手段は、
前記時間経過検知手段によって検知される所定時間が経過するまで、前記水噴霧を休止する休止運転を行う機能と、
前記休止運転に引き続いて、水噴霧を行う水噴霧期間と水噴霧を休止する水噴霧休止期間とから構成される所定の周期に対する前記水噴霧期間の所定の比率をもって間欠的に水を噴霧するマイルドな水噴霧運転を行う機能と、
前記マイルドな水噴霧運転に引き続いて、前記マイルドな水噴霧運転における前記水噴霧期間の前記所定の比率よりも高い水噴霧期間の比率をもって間欠的に水を噴霧する定常運転を行う機能と
を備えた、補助冷却装置。
【請求項５】
前記水噴霧制御手段に外気温を入力する外気温検知手段（Ｔｈ）を備え、前記水噴霧制御手段は前記外気温検知手段によって検知された外気温が所定温度以上になった時から所定時間経過した後に、前記マイルドな水噴霧運転を行う、請求項４に記載の補助冷却装置。
【発明の詳細な説明】
【０００１】
【発明の属する技術分野】
本発明は、空気調和機の凝縮器の補助冷却装置およびその運転方法に関し、より具体的には、空気調和機の冷房運転開始時に、上記補助冷却装置による冷却のきかせ過ぎを解消することができる補助冷却装置およびその運転方法に関するものである。
【０００２】
【従来の技術】
図５は、室外機に取り付けられた補助冷却装置を示す斜視図である。この補助冷却装置のノズル１０３から、所定の周期で室外機１３０の凝縮器めがけて水噴霧される。
【０００３】
図６は、空気調和機の冷凍サイクルと補助冷却装置との配置関係を示す図である。冷房を行う空気調和機や冷凍機では、蒸発器１３７で冷媒を蒸発させて被冷却物を冷却する。冷媒は圧力が高いと設定された低温にならないので、蒸発器１３７で蒸発した冷媒蒸気を圧縮機１３３で吸い込んで圧力を低下させる。この圧縮機１３３の駆動には外付けされたモータ１３３ａやその他の駆動装置が用いられる。冷媒蒸気はもはや冷凍能力がないので、再び液体にしなければならない。そのためには、冷媒蒸気の圧力を高める必要がある。このため、圧縮機は上述の吸い込んだ冷媒蒸気を圧縮して圧力を高くする。すなわち、圧縮機１３３は、冷却管側の冷媒蒸気の圧力を低下させる機能と、圧縮機から送り出される冷媒蒸気の圧力を高める機能とを備えている。
【０００４】
圧縮機から送り出される冷媒蒸気は、圧力を高められるだけでなく、温度も高められる。この高温高圧の冷媒蒸気を凝縮器１３５に送って、水や空気で冷やす。この冷却により、冷媒蒸気は圧力の高いまま液体になる。この冷媒をレシーバ１３８で受けて、膨張弁１３６やキャピラリチューブを通して圧力を下げて蒸発器に流し込む。蒸発器では、冷媒は被冷却物から熱を奪い蒸発する。本説明で、冷媒というとき、液体、気体、または気液混合のいずれの場合にも該当する。
【０００５】
上記の冷凍サイクルの中で、室外機は、圧縮機から膨張弁にいたる経路を備えた部分であり、室内機は、膨張弁の後の蒸発器の部分、すなわち冷凍を利用する部分により構成される。
【０００６】
室外機の補助冷却装置１０１は、凝縮器の冷却に水噴霧を用いることにより、冷凍サイクルの能力と冷却効率とを共に向上させるものである（特許第３００９８７４号）。
【０００７】
図６において、補助冷却装置１０１の制御ボード１０２は、圧縮機１３３の電磁開閉器１３４の２次側から給電されている。したがって、圧縮機１３３が稼動していない場合には、制御ボード１０２はオン状態にならず、したがって、電磁弁ＳＶがオン状態にされることはない。制御ボード１０２には外気温サーミスタ（以下、サーモと記す）Ｔｈが接続され、外気温信号が制御回路に入れられている。制御ボードからは電磁弁ＳＶをオンオフ制御する配線がなされている。水噴霧を形成するノズル１０３は、電磁弁ＳＶによって水の流通の開閉がなされる水配管１０４に接続されている。
【０００８】
図７は、室外機に取り付けられた補助冷却装置の電気系統図であり、また図８は、水系統図である。図７の電気系統図によれば、補助冷却装置の電源は、圧縮機１３３ａの電磁開閉器１３４の２次側からとられている。したがって、圧縮機の電磁開閉器１３４がオンにならないと電力が供給される状態にならない。また、この電気系統には外気サーモＴｈが取り付けられており、外気温度信号を制御回路（マイコン）に送る。マイコンでは、ディップスイッチＳＷ1によってなされたＳＶをオンさせる温度の設定にしたがって、ＳＶに連結する継電器Ｒｙをオンにする。継電器Ｒｙのオンにより、電磁弁ＳＶはオン状態となりノズル１０３から水噴霧がなされる。すなわち、この補助冷却装置は、圧縮機の電磁開閉器１３４がオンになり、その上で外気温が所定温度以上に所定時間以上ならないと、作動しない設定とされている。
【０００９】
なお、ディップスイッチＳＷ2は、噴霧時間シフトスイッチである。マイコンの中の制御回路Ｔ1は噴霧時間を制御し、また制御回路Ｔ2は乾燥時間を制御する。乾燥時間とは、補助冷却装置が間欠噴霧運転の１サイクルの中で水噴霧を行わない時間をさす。
【００１０】
図８の水系統図によれば、ノズル１０３からの水噴霧は、水配管１０４に取り付けた電磁弁ＳＶを制御ボード１０２によってオンオフ制御することによりなされる。
【００１１】
上記の電気系統および水系統を用いることにより、補助冷却装置を室外機に配設する場合に、経済的に、かつ室外機の稼動に合わせて無駄なく補助冷却装置を稼動させることができる。
【００１２】
【発明が解決しようとする課題】
しかしながら、空気調和機の室外機の始動に合せて上記補助冷却装置を運転すると、圧縮機の起動時に凝縮器に対して水噴霧が行われる。圧縮機の起動時に凝縮器を冷却する場合、定常運転時に冷却する場合に比べて、高圧部分の圧力低下が低圧部に比べて大きく生じる。この結果、次の問題が生じる。
（１）キャピラリーチューブ使用機では、高圧部と低圧部との圧力差が小さくなり、冷媒の循環量が減少する。このため、冷却能力が低下し、その後、補助冷却しない場合における定常運転の冷却能力を回復するまで、長時間を要する。
（２）１台の室外機で複数の室を冷房する、ビル用マルチ冷却タイプの室外機の場合、インバータ圧縮機と定速圧縮機とが組み合わされて用いられる場合が多い。このような組み合わせ圧縮機に補助冷却装置を用いた場合、インバータ圧縮機から定速圧縮機に切り換えたとき、定速圧縮機起動に伴う低圧部分の圧力低下と、補助冷却装置の冷却開始に伴う高圧部分の圧力低下が生じる。低圧部分の圧力低下は、上記高圧部分の圧力低下によって促進され、低圧部分の圧力は、ＰＩ(Proportion Integration)値を超えて低下する場合が生じる。このため、室外機は、その時点で、冷房負荷を超える冷房能力を発揮していると判断して、定速圧縮機の停止とインバータ圧縮機の周波数低下の指令を発する。このため、冷房負荷に対して不足した冷房運転をする現象が生じる場合がある。
【００１３】
本発明は、室外機の運転開始に合せて直ちに凝縮器を冷却し過ぎることに伴う不都合を避けることができる、空気調和機の凝縮器の補助冷却装置およびその運転方法を提供することを目的とする。
【００１４】
【課題を解決するための手段】
本発明の補助冷却装置の運転方法は、空気調和機において、圧縮機から送り出された冷媒を凝縮する凝縮器に対して水噴霧冷却する補助冷却装置の運転方法である。この運転方法は、圧縮機の運転開始から初期の所定期間だけ、水噴霧を休止する休止運転と、その休止運転に引き続いて行われ、水噴霧を行う水噴霧期間と水噴霧を休止する水噴霧休止期間とから構成される所定の周期に対する水噴霧期間の所定の比率をもって間欠的に水を噴霧するマイルドな水噴霧運転と、そのマイルドな水噴霧運転に引き続いて行われ、マイルドな水噴霧運転における水噴霧期間の所定の比率よりも高い水噴霧期間の比率をもって間欠的に水を噴霧する定常運転とを備えている（請求項１）。
【００１５】
この構成により、圧縮機の運転開始の際に未だ高圧部の圧力が十分高くならないうちに凝縮器を冷却し過ぎることに伴う不都合を解消することができる。このため、（ａ）キャピラリーチューブ使用機における冷媒の循環量減少に起因する冷却能力の低下を生じることがない。また、（ｂ）ビル用マルチ冷却タイプによく用いられるインバータ圧縮機と定速圧縮器との組み合わせ圧縮機において、負荷の漸増に伴いインバータ圧縮機から定速圧縮機に切り換えるとき、凝縮器の冷却し過ぎによって低圧部分の圧力が、ＰＩ(Proportion Integration)値を超えて低下することを防止できる。
また、簡便な水噴霧制御手段により定量的に冷却能力を制御することができる。このため、上記のようなマイルドな水噴霧と、定常運転における水噴霧とを精度よく制御することができる。上記のマイルドな水噴霧においても、繰り返す周期の数は複数でも単数でもよく、また、異なる周期を複数組み合わせたマイルド水噴霧であってもよい。さらに、異なる周期を複数組み合わせたマイルド水噴霧の場合、水噴霧期間の周期内の比率が、定常水噴霧運転に入るまでの間、漸増する必要はなく、上記比率が増減してもよい。この結果、冷房負荷に対して不足したミスマッチの運転をする事態が発生することを防止することができる。
【００１６】
なお、上記の圧縮機は、定速圧縮機１台からなる圧縮機でも、インバータ圧縮機１台からなる圧縮機でも、また定速圧縮機とインバータ圧縮機とが組み合わされた圧縮機（ビル用マルチタイプ）でもよい。ビル用マルチタイプの場合、上記「圧縮機の運転開始」は、インバータ圧縮機の運転開始からでもよいし、インバータ圧縮機の運転開始後に定速圧縮機が運転を開始する際の、定速圧縮機の運転開始でもよい。
【００１７】
本発明の別の補助冷却装置の運転方法は、空気調和機において、圧縮機から送り出された冷媒を凝縮する凝縮器に対して水噴霧冷却する補助冷却装置の運転方法である。この運転方法は、水噴霧の制御をする水噴霧制御手段への通電開始の後、所定時間水噴霧を休止する休止運転を行い、その休止運転の経過後に、水噴霧を行う水噴霧期間と水噴霧を休止する水噴霧休止期間とから構成される所定の周期に対する水噴霧期間の所定の比率をもって間欠的に水を噴霧するマイルドな水噴霧運転を開始し、そのマイルドな水噴霧運転の後に、マイルドな水噴霧運転における水噴霧期間の所定の比率よりも高い水噴霧期間の比率をもって間欠的に水を噴霧する定常運転を行う（請求項２）。
【００１８】
この構成によっても、上述の本発明の補助冷却装置の運転方法と同様の効果を得ることができる。通常、上記の水噴霧制御手段は制御ボードなどのマイコンから構成されている。この水噴霧制御手段への通電は、圧縮機への通電と連動するように設けられているか、または、圧縮機が運転開始した後、さらに外気温が所定温度以上になった後に通電される。ビル用マルチタイプで、インバータ圧縮機と定速圧縮機とが組み合わされた圧縮機では、定速圧縮機への通電開始と連動して制御ボードに通電される場合が多い。
また、凝縮器の冷却度を徐々に高めて定常運転にもってゆくことができる。このため、上記運転開始直後から行う定常運転の冷却によって起きる不都合を解消しながら、迅速に定常運転の冷却に入ることができる。この結果、所望の冷却効率に迅速に到達することが可能になる。
なお、上記「マイルドな冷却」または「マイルドな水噴霧運転」とは、定常運転よりも冷却の程度を緩やかにする冷却、または定常運転よりも水噴霧時間の比率が小さい水噴霧運転をさす。したがって、マイルドな冷却またはマイルドな水噴霧運転から定常運転へと移行する際は、水噴霧時間の比率を高くしてゆき、冷却の度合いを強化する。以後の説明で「マイルド」という文言を用いる場合、上記の意味で用いる。
また、簡便な水噴霧制御手段により定量的に冷却能力を制御することができる。このため、上記のようなマイルドな水噴霧と、定常運転における水噴霧とを精度よく制御することができる。上記のマイルドな水噴霧においても、繰り返す周期の数は複数でも単数でもよく、また、異なる周期を複数組み合わせたマイルド水噴霧であってもよい。さらに、異なる周期を複数組み合わせたマイルド水噴霧の場合、水噴霧期間の周期内の比率が、定常水噴霧運転に入るまでの間、漸増する必要はなく、上記比率が増減してもよい。
【００１９】
本発明の別の補助冷却装置の運転方法では、水噴霧制御手段への通電は圧縮機の稼動開始に合わせて行われ、マイルドな水噴霧運転の開始は、外気温が所定温度以上になった後、所定時間経過した後に行われるようにできる（請求項３）。
【００２０】
圧縮機の稼動に加えて、外気温の条件を加えることにより、補助冷却装置の運転方法を多様化して、たとえば水噴霧を限定した条件下でのみ行わせるようにできる。
【００２６】
本発明の補助冷却装置は、空気調和機において、圧縮機から送り出された冷媒を凝縮する凝縮器に対して水噴霧冷却する補助冷却装置である。この補助冷却装置は、凝縮器に水噴霧する水噴霧手段と、水噴霧手段における水噴霧を制御する水噴霧制御手段と、水噴霧制御手段への通電後、所定時間経過したことを検知する時間経過検知手段とを備えている。その水噴霧制御手段は、時間経過検知手段によって検知される所定時間が経過するまで、水噴霧を休止する休止運転を行う機能と、その休止運転に引き続いて、水噴霧を行う水噴霧期間と水噴霧を休止する水噴霧休止期間とから構成される所定の周期に対する水噴霧期間の所定の比率をもって間欠的に水を噴霧するマイルドな水噴霧運転を行う機能と、そのマイルドな水噴霧運転に引き続いて、マイルドな水噴霧運転における水噴霧期間の所定の比率よりも高い水噴霧期間の比率をもって間欠的に水を噴霧する定常運転を行う機能とを備えている（請求項４）。
【００２７】
この構成における水噴霧制御手段は、たとえば制御ボードのマイコンに組み込まれている。また、マイルドな水噴霧と、定常運転における水噴霧とは、制御ボドのディプスイッチのオンオフを選択することにより、定量的に設定することができる。この場合、たとえば上述の周期の期間と、水噴霧期間とを設定することにより、周期内の水噴霧期間の比率を設定することができる。また、水噴霧の冷却度を定量化してデジタル制御することが容易化される。すなわち、ノズルへの水の供給をオンオフ制御とし、所定周期内でオン時間を設定することにより冷却度を制御することができる。このため、プログラム等を簡単にすることができる。
【００３０】
本発明の補助冷却装置は、水噴霧制御手段に外気温を入力する外気温検知手段を備え、水噴霧制御手段は外気温検知手段によって検知された外気温が所定温度以上になった時から所定時間経過した後に、マイルドな水噴霧運転を行うことができる（請求項５）。
【００３１】
この構成により、水噴霧制御手段へ通電する環境に外気温を加えることができる。
【００３２】
【発明の実施の形態】
次いで、図面を用いて本発明の実施の形態について説明する。
【００３３】
図１は、本発明の実施の形態におけるマイルド冷却運転を説明する図である。繰り返しになるが、マイルド冷却運転とは、定常運転における冷却よりも冷却の度合いを緩やかにした冷却を行う水噴霧運転をいう。図１において、制御ボードへの通電開始から経過した時間を運転時間として左端欄に示している。制御ボードへの通電開始から１２０秒間はディレイモードであり、水噴霧は行われない休止運転の状態にある。その後、３３秒間の周期内に２秒間の水噴霧を行うマイルド冷却モード（Ｉ）の間欠水噴霧を行う。この間欠水噴霧における水噴霧期間の比率は６．０６％である。このマイルド冷却モード（Ｉ）は、１２０秒〜２１９秒の間に、上記周期が３回繰り返される。
【００３４】
次いで、４９秒間の周期内に３秒間の水噴霧を行うマイルド冷却モード（II）の間欠水噴霧を行う。この間欠水噴霧における水噴霧期間の比率は６．１２％である。このマイルド冷却モード（II）は、２１９秒〜３１７秒の間に、上記周期が２回繰り返される。
【００３５】
次いで、６９秒間の周期内に４秒間の水噴霧を行うマイルド冷却モード（III）の間欠水噴霧を行う。この間欠水噴霧における水噴霧期間の比率は５．８０％である。このマイルド冷却モード（III）は、３１７秒〜３８６秒の間に、上記周期が１回行われる。
【００３６】
この後、補助冷却装置の運転は、温度によって定められた所定の比率の水噴霧期間の間欠水噴霧に移行する。定常運転の場合、水噴霧の周期内の比率は、マイルド冷却運転のそれより高くする。
【００３７】
図２は、本発明の実施における補助冷却装置を示す図である。図２において、圧縮機３３，４３から送り出される冷媒蒸気は、圧力を高められるだけでなく、温度も高められる。この高温高圧の冷媒蒸気を凝縮器３５に送って、水や空気で冷やす。この冷却により、冷媒蒸気は圧力の高いまま液体になる。この冷媒をレシーバ３８で受けて、膨張弁３６やキャピラリチューブを通して圧力を下げて蒸発器３７に流し込む。蒸発器３７では、冷媒は被冷却物から熱を奪い蒸発する。上記の冷凍サイクルの中で、室外機は、定常、圧縮機から膨張弁にいたる経路を備えた部分であり、室内機は、膨張弁の後の蒸発器の部分、すなわち冷凍を利用する部分により構成される。
【００３８】
上記の冷凍サイクルの圧縮機は、インバータ圧縮機３３と、定速圧縮機４３とから構成されている。制御ボード２は、その電源を定速圧縮機４３の電磁スイッチ３４の２次側からとっている。インバータ圧縮機３３を駆動させる駆動系３３ａには、インバータ３３ｂで制御された電力が供給される。この駆動系３３ａは、圧縮機３３に外付けされた回転機、リニアモータ、その他の駆動機器で構成することができる。ノズル３を配置した水配管４への給水部１０は、ストレーナや圧力調整のための減圧弁等を備え、電磁弁ＳＶでオンオフ制御される。制御ボード２には、外気サーモＴhが接続されている。
【００３９】
図２の組み合わせ圧縮機の場合、インバータ圧縮機は、圧縮機の立ち上がりの部分を、定速圧縮機を停止させたまま要求能力に応じて比例して稼動する。要求能力が定速圧縮機の稼動分に上昇した場合には、インバータ圧縮機の稼動をいったん低稼働にして、定速圧縮機を稼動させる。さらに要求能力が増大した場合、インバータ圧縮機は、定速圧縮機の能力を超える要求能力分に応じて稼動する。この結果、負荷に見合った圧縮機の稼動を行うので、圧縮機の稼動の無駄がなく、省エネルギを実現することができる。
【００４０】
図３は、図２に示した、インバータ圧縮機と定速圧縮機とが組み合わされた圧縮機における高圧部と低圧部の圧力の時間変化を示す図である。高圧部は圧縮機出口側から膨張弁３６にいたる前の部分であり、低圧部は膨張弁３６から圧縮機吸い込み口までの部分である。室外機の稼動に伴いインバータ圧縮機が稼動して、高圧部では徐々に圧力が増大し、低圧部では徐々に圧力が低下する。要求能力が定速圧縮機の稼動分に上昇した場合には、インバータ圧縮機の稼動をいったん低稼働にして、定速圧縮機を稼動させる。
【００４１】
このとき、図２に示すように、制御ボードに電磁スイッチ３４の２次側から通電がされる。図１の左端欄の時間カウントがこの通電とともに始まる。定速圧縮機の運転開始とともに、高圧部では圧力がさらに急勾配で上昇し、低圧部では圧力がさらに急勾配で低下する。この間、補助冷却装置は休止モードにあり、水噴霧は行われない。冷媒が強制循環されてしばらくすると、圧縮機の吸い込み側（低圧側）でも、押し出し側（高圧側）でも、圧力の極大値、極小値を経て圧力バランスする均衡点に近づくように推移する。
【００４２】
上記の圧力の極値を経た後、制御ボードへの通電後１２０秒後に制御ボードに予めストアされたプログラムに基づき、制御ボードから電磁弁ＳＶへ信号が送られ、所定の水噴霧期間を有する周期のマイルド水噴霧運転が開始される。このため、水噴霧を行わない場合に比べて、高圧部および低圧部の圧力は安定して低下し、一定圧力を維持する。この結果、空気調和機の使用開始時の圧力変動の不安定化を回避した上で、上記水噴霧を行わない場合に比べて、冷却能力を向上し、しかも電力消費も節減することができる。
【００４３】
図４は、本発明の補助冷却装置の運転方法におけるフローチャートである。圧縮機がオンされ稼動すると同時に、補助冷却装置の制御ボード等に通電がなされる（ＳＴ1）。次いで、外気温サーモにより検知される外気温が２７℃以上になったかどうか判断する（ＳＴ2）。外気温が２７℃以上の場合には、２７℃以上になった時点から所定時間経過待機する（ＳＴ3）。２７℃以上で所定時間経過後、休止運転も含めて、マイルド水噴霧を開始する（ＳＴ4）。マイルド水噴霧が所定時間行われた後（ＳＴ5）、通常運転モードに入る（ＳＴ6）。
【００４４】
上記の実施の形態によれば、従来の制御ボードを用いて、プログラムを変更することにより、圧縮機開始に合せてマイルド水噴霧を行い、凝縮器の冷却のし過ぎに伴う不都合を回避した上で、冷却能率の向上および電力節減をはかることができる。
【００４５】
上記において、本発明の実施の形態について説明を行ったが、上記に開示された本発明の実施の形態は、あくまで例示であって、本発明の範囲はこれら発明の実施の形態に限定されるものではない。本発明の範囲は、特許請求の範囲の記載によって示され、さらに特許請求の範囲の記載と均等の意味および範囲内でのすべての変更を含むものである。
【００４６】
【発明の効果】
本発明の空気調和機の凝縮器の補助冷却装置およびその運転方法を用いることにより、室外機の運転開始に合せて、直ちに凝縮器を冷却し過ぎることに伴う不都合を回避した上で、冷却能力の向上および消費電力の節減をはかることができる。
【図面の簡単な説明】
【図１】  本発明の実施の形態における補助冷却装置の運転方法を説明する図である。
【図２】  本発明の実施の形態における補助冷却装置を説明する図である。
【図３】  本発明の実施の形態における補助冷却装置の運転を行った場合の高圧部と低圧部の圧力推移を説明する図である。
【図４】  本発明の実施の形態の補助冷却装置の運転方法におけるフローチャートである。
【図５】  補助冷却装置の斜視図である。
【図６】  従来の補助冷却装置を説明する図である。
【図７】  図６の補助冷却装置の電力系統を説明する図である。
【図８】  図６の補助冷却装置の水系統を説明する図である。
【符号の説明】
２  制御ボード、３  ノズル、４  水配管、１０  水供給部、３３  インバータ圧縮機、３３ａ  インバータ駆動部、３３ｂ  インバータ、３４  電磁開閉器、３５  凝縮器、３６  膨張弁、３７  蒸発器、３８  レシーバ、４３  定速圧縮機、ＳＶ  電磁弁、Ｔｈ  外気温サーモ。
【図１】
0003810312.tif 000002
【図２】
0003810312.tif 000003
【図３】
0003810312.tif 000004
【図４】
0003810312.tif 000005
【図５】
0003810312.tif 000006
【図６】
0003810312.tif 000007
【図７】
0003810312.tif 000008
【図８】
0003810312.tif 000009